【手続補正書】
【提出日】平成19年11月6日(2007.11.6)
【手続補正１】
【補正対象書類名】特許請求の範囲
【補正対象項目名】全文
【補正方法】変更
【補正の内容】
【特許請求の範囲】
【請求項１】
計数記録媒体に記録された計数結果に応じて遊技媒体の景品への交換を行う景品交換設備をホール内に備え、該景品交換設備で取得した景品を更に最終物に交換する最終物交換所をホール外に備えた遊技施設の利用者等判定システムにおいて、
前記景品交換設備にて景品交換を希望する景品交換者の顔情報を得て、該顔情報から景品交換者顔認識データを取得する景品交換者顔認識手段と、
前記景品交換者顔認識データが格納される景品交換者データ記憶部と、
前記最終物交換所にて前記最終物への交換を希望する最終物交換者の顔情報を得て、この顔情報から最終物交換者顔認識データを取得する最終物交換者顔認識手段と、
前記最終物交換者顔認識データを前記景品交換者データ記憶部に格納された景品交換者顔認識データと照合して同一人物であるか否かの判定を行う照合判定部と、
該照合判定部の判定結果を前記遊技施設の管理者に対して伝達する判定結果伝達手段と、
を備えることを特徴とする遊技施設の利用者等判定システム。
【請求項２】
複数の遊技台をホール内に備え、獲得された遊技媒体の数量に応じて交換された景品を更に最終物に交換する最終物交換所をホール外に備えた遊技施設の利用者等判定システムにおいて、
前記各遊技台毎の遊技者の顔情報を得て、各顔情報から遊技者顔認識データを各々取得する遊技者顔認識手段と、
前記遊技者顔認識データが各遊技台の特定情報と共に格納される遊技者データ記憶部と、
前記最終物交換所にて前記最終物への交換を希望する最終物交換者の顔情報を得て、該顔情報から最終物交換者顔認識データを取得する最終物交換者顔認識手段と、
前記最終物交換者顔認識データを前記遊技者データ記憶部に格納された遊技者顔認識データと照合して同一人物が存在するか否かの判定を行う照合判定部と、
該照合判定部の判定結果を前記最終物交換所の管理者に伝達する判定結果伝達手段と、
を備えることを特徴とする遊技施設の利用者等判定システム。
【請求項３】
遊技媒体の数を計数し計数結果を記録した計数記録媒体を発行する遊技媒体計数設備をホール内に備え、獲得された遊技媒体の数量に応じて交換された景品を更に最終物に交換する最終物交換所を前記ホール外に備えた遊技施設の利用者等判定システムにおいて、
前記遊技媒体計数設備に遊技媒体を持参した計数希望者の顔情報を得て、該顔情報から計数者顔認識データを取得する計数者顔認識手段と、
前記計数者顔認識デ−タが格納される計数者データ記憶部と、
前記最終物交換所にて前記最終物への交換を希望する最終物交換者の顔情報を得て、該顔情報から最終物交換者顔認識データを取得する最終物交換者顔認識手段と、
前記最終物交換者顔認識データを前記計数者データ記憶部に格納された計数者顔認識データと照合して同一人物が存在するか否かの判定を行う照合判定部と、
該照合判定部の判定結果を前記最終物交換所の管理者に伝達する判定結果伝達手段と、
を備えることを特徴とする遊技施設の利用者等判定システム。
【請求項４】
複数配列された遊技台と、遊技媒体の数を計数し計数結果を記録した計数記録媒体を発行する遊技媒体計数設備と、計数記録媒体に記録された遊技媒体の数量に応じた景品との交換を行う景品交換設備とをホール内に備え、獲得された遊技媒体の数量に応じて交換された景品を更に最終物に交換する最終物交換所を前記ホール外に備えた遊技施設の利用者等判定システムにおいて、
前記各遊技台毎の遊技者の顔情報を得て、この顔情報から顔認識データを取得する遊技者顔認識手段と、
前記遊技者の顔認識データが各遊技台の特定情報と共に格納される遊技者データ記憶部と、
前記遊技媒体計数設備に遊技媒体を持参した計数希望者の顔情報を得て、この顔情報から計数者顔認識データを取得する計数者顔認識手段と、
前記計数者顔認識デ−タが格納される計数者データ記憶部と、
前記景品交換設備にて景品交換を希望する景品交換者の顔情報を得て、この顔情報から顔認識データを取得する景品交換者顔認識手段と、
前記景品交換者顔認識データが格納される景品交換者データ記憶部と、
前記最終物交換所にて前記最終物への交換を希望する最終物交換者の顔情報を得て、該顔情報から最終物交換者顔認識データを取得する最終物交換者顔認識手段と、
前記最終交換者顔認識データを前記遊技者データ記憶部に格納された遊技者顔認識データ、前記計数者データ記憶部に格納された計数者顔認識デ−タ、及び前記景品交換者データ記憶部に格納された前記景品交換者顔認識データのそれぞれと照合し、それぞれのデータの中の人物と同一人物であるか否かの判定を行う照合判定部と、
該照合判定部の判定結果を前記最終交換所の管理者に対して伝達する判定結果伝達手段と、
を備えることを特徴とする遊技施設の利用者等判定システム。
【請求項５】
前記遊技媒体計数設備は、
遊技媒体を計数する計数部と、計数結果情報を記録した計数記録媒体を発行する計数記録媒体発行部と、を有し、
当該遊技媒体計数設備の内部又は外部に設けられる制御部によって、前記計数者顔認識手段が当該持参者の顔認識データを取得したことを条件として、
前記計数部又は前記計数記録媒体発行部の作動が行われる様に制御することを特徴とする請求項３又は４の何れかに記載の遊技施設の利用者等判定システム。
【請求項６】
前記遊技者顔認識手段は、
当該遊技台の遊技者が存在するか否かを検知する存在検知部を有し、前記遊技者が不存在状態から存在状態に変化する毎に新たに前記遊技者に対応する顔認識データを取得することを特徴とする請求項２又は４の何れかに記載の遊技施設の利用者等判定システム。
【手続補正２】
【補正対象書類名】明細書
【補正対象項目名】０００１
【補正方法】変更
【補正の内容】
【０００１】
本発明は、遊技施設の利用者等判定システム、特にパチンコやスロットマシンなどの遊技媒体を用いて遊技を行う遊技機器の設置された遊技施設における利用者等について顔の認識を行うことによって種々の判定を行う遊技施設の利用者等判定システムに関する。
【手続補正３】
【補正対象書類名】明細書
【補正対象項目名】００１０
【補正方法】変更
【補正の内容】
【００１０】
【特許文献１】特開２００３−２１６７７５号公報
【特許文献２】特開２００３−３３５５１号公報
【手続補正４】
【補正対象書類名】明細書
【補正対象項目名】００１２
【補正方法】変更
【補正の内容】
【００１２】
しかしながら、その様に最終物への交換前に景品が強奪されたとしても。現状では最終物交換所１００における管理者はその様な事実を知ることはできず、景品の強奪者に対して何らの処置をすることなく最終物への交換を行ってしまうという状況があった。また、この様な不当な最終物への交換行為は、景品交換設備２４での景品の交換を終えた後にのみ生起することではなく、実際にホール１０内の遊技台１２にて遊技を行わず不正に遊技媒体を入手した者、遊技媒体計数設備１６にて計数を行った者から計数記録媒体（計数シートなど）を略取した者、更には計数記録媒体（計数シートなど）を偽造した者などが、最終物交換所１００において最終物への交換を行う場合にも同様に生起していた。最終物交換所１００の管理者は同様にこの様な不正行為を最終物交換所１００においてチェックすることはできず最終物への交換が行われていた。
【手続補正５】
【補正対象書類名】明細書
【補正対象項目名】００１３
【補正方法】変更
【補正の内容】
【００１３】
従来のホールシステムでは、上述のように、他人が獲得した景品を不正に取得したような者、不適正な遊技媒体、例えば、他店舗の遊技媒体を計数設備に持参した者、あるいは他人の獲得した遊技媒体を勝手に遊技媒体計数設備１６に持参して計数記録媒体（計数シート２０）を受領した者、更には他人が得た計数シート２０を不正に取得し、或いは偽造して景品交換設備２４にて景品への交換を行った者などを最終物交換所１００の交換の際に確認する手がかりは何ら有していなかった。また、この様な不正行為者の行為は、ホール１０内のビデオカメラや最終物交換所１００に設置したビデオカメラ等による監視で判別することは難しく、ビデオカメラの存在による不正行為の抑制は有効に機能しているとは言えない状況である。
【手続補正６】
【補正対象書類名】明細書
【補正対象項目名】００１８
【補正方法】変更
【補正の内容】
【００１８】
本発明は上記課題に鑑みてなれたものであり、その目的は、不正行為を介在させて得た景品を基に最終物への交換を行わんとする不正行為者に対する不正行為の抑制を行い、不正な最終物交換が行われることを有効に防止する遊技施設の利用者等判定システムを提供することにある。
【手続補正７】
【補正対象書類名】明細書
【補正対象項目名】００１９
【補正方法】変更
【補正の内容】
【００１９】
上記課題を解決するため請求項１に係る遊技施設の利用者等判定システムは、
計数記録媒体に記録された計数結果に応じて遊技媒体の景品への交換を行う景品交換設備をホール内に備え、該景品交換設備で取得した景品を更に最終物に交換する最終物交換所をホール外に備えた遊技施設の利用者等判定システムにおいて、
前記景品交換設備にて景品交換を希望する景品交換者の顔情報を得て、該顔情報から景品交換者顔認識データを取得する景品交換者顔認識手段と、前記景品交換者顔認識データが格納される景品交換者データ記憶部と、前記最終物交換所にて前記最終物への交換を希望する最終物交換者の顔情報を得て、この顔情報から最終物交換者顔認識データを取得する最終物交換者顔認識手段と、前記最終物交換者顔認識データを前記景品交換者データ記憶部に格納された景品交換者顔認識データと照合して同一人物であるか否かの判定を行う照合判定部と、該照合判定部の判定結果を前記遊技施設の管理者に対して伝達する判定結果伝達手段と、を備えたことを特徴とする。
【手続補正８】
【補正対象書類名】明細書
【補正対象項目名】００２０
【補正方法】変更
【補正の内容】
【００２０】
これにより、最終物交換所の管理者は、最終物への交換のために最終物交換所に景品を持参した者の顔認識データ（最終物交換者顔認識データ）が、景品交換者データ記憶部に格納された景品交換者顔認識データの中の者と同一人物か否かを判定結果伝達手段によって認識することができる。したがって、少なくともそのホール内で取得してきた景品の持参者が自らが実際にホール内の景品交換所で景品交換を行った者であるのか否かを確認することができる。なお、上記判定結果の伝達される管理者は、最終物交換所の管理者に限られるものではなく、他の場所でホールの全体管理を行っている管理者であってもよい。
【手続補正９】
【補正対象書類名】明細書
【補正対象項目名】００２２
【補正方法】変更
【補正の内容】
【００２２】
請求項２に係る遊技施設の利用者等判定システムは、
複数の遊技台をホール内に備え、獲得された遊技媒体の数量に応じて交換された景品を更に最終物に交換する最終物交換所をホール外に備えた遊技施設の利用者等判定システムにおいて、
前記各遊技台毎の遊技者の顔情報を得て、各顔情報から遊技者顔認識データを各々取得する遊技者顔認識手段と、前記遊技者顔認識データが各遊技台の特定情報と共に格納される遊技者データ記憶部と、前記最終物交換所にて前記最終物への交換を希望する最終物交換者の顔情報を得て、該顔情報から最終物交換者顔認識データを取得する最終物交換者顔認識手段と、前記最終物交換者顔認識データを前記遊技者データ記憶部に格納された遊技者顔認識データと照合して同一人物が存在するか否かの判定を行う照合判定部と、該照合判定部の判定結果を前記最終物交換所の管理者に伝達する判定結果伝達手段と、を備えたことを特徴とする。
【手続補正１０】
【補正対象書類名】明細書
【補正対象項目名】００２３
【補正方法】変更
【補正の内容】
【００２３】
これにより、管理者、例えば最終物交換所の管理者は、最終物への交換のために最終物交換所に景品を持参した者の顔認識データが、遊技者データ記憶部に格納された遊技者顔認識データの中の人物と同一人物の者か否かを判定結果伝達手段によって認識することができる。したがって、少なくともその最終物交換希望者が、自ら実際に施設（ホール）内の遊技台を利用して遊技した者であるのか否かを確認することができる。なお、上記判定結果の伝達される管理者は、景品交換設備の管理者に限られるものではなく、他の場所でホールの全体管理を行っている管理者であってもよい。
【手続補正１１】
【補正対象書類名】明細書
【補正対象項目名】００２６
【補正方法】変更
【補正の内容】
【００２６】
請求項３に係る遊技施設の利用者等判定システムは、
遊技媒体の数を計数し計数結果を記録した計数記録媒体を発行する遊技媒体計数設備をホール内に備え、獲得された遊技媒体の数量に応じて交換された景品を更に最終物に交換する最終物交換所を前記ホール外に備えた遊技施設の利用者等判定システムにおいて、
前記遊技媒体計数設備に遊技媒体を持参した計数希望者の顔情報を得て、該顔情報から計数者顔認識データを取得する計数者顔認識手段と、前記計数者顔認識デ−タが格納される計数者データ記憶部と、前記最終物交換所にて前記最終物への交換を希望する最終物交換者の顔情報を得て、該顔情報から最終物交換者顔認識データを取得する最終物交換者顔認識手段と、前記最終物交換者顔認識データを前記計数者データ記憶部に格納された計数者顔認識データと照合して同一人物が存在するか否かの判定を行う照合判定部と、該照合判定部の判定結果を前記最終物交換所の管理者に伝達する判定結果伝達手段と、を備えたことを特徴とする。
【手続補正１２】
【補正対象書類名】明細書
【補正対象項目名】００２７
【補正方法】変更
【補正の内容】
【００２７】
これにより、管理者、例えば最終物交換所の管理者は、最終物交換のために景品を持参した者の顔認識データが、計数者データ記憶部に格納された計数者顔認識データ、すなわち、実際に遊技媒体を遊技媒体計数設備に持参した者の顔認識データと同一人物か否かを判定結果伝達手段によって認識することができる。したがって、少なくともその景品の持参者が自らが実際に遊技媒体計数設備まで遊技媒体を持参して計数記録媒体を受領した者であるのか否かを確認することができる。なお、上記判定結果の伝達される管理者は、景品交換設備の管理者に限られるものではなく、他の場所でホールの全体管理を行っている管理者であってもよい。
【手続補正１３】
【補正対象書類名】明細書
【補正対象項目名】００２９
【補正方法】変更
【補正の内容】
【００２９】
請求項４に係る遊技施設の利用者等判定システムは、
複数配列された遊技台と、遊技媒体の数を計数し計数結果を記録した計数記録媒体を発行する遊技媒体計数設備と、計数記録媒体に記録された遊技媒体の数量に応じた景品との交換を行う景品交換設備とをホール内に備え、獲得された遊技媒体の数量に応じて交換された景品を更に最終物に交換する最終物交換所を前記ホール外に備えた遊技施設の利用者等判定システムにおいて、
前記各遊技台毎の遊技者の顔情報を得て、この顔情報から顔認識データを取得する遊技者顔認識手段と、前記遊技者の顔認識データが各遊技台の特定情報と共に格納される遊技者データ記憶部と、前記遊技媒体計数設備に遊技媒体を持参した計数希望者の顔情報を得て、この顔情報から計数者顔認識データを取得する計数者顔認識手段と、前記計数者顔認識デ−タが格納される計数者データ記憶部と、前記景品交換設備にて景品交換を希望する景品交換者の顔情報を得て、この顔情報から顔認識データを取得する景品交換者顔認識手段と、前記景品交換者顔認識データが格納される景品交換者データ記憶部と、前記最終物交換所にて前記最終物への交換を希望する最終物交換者の顔情報を得て、該顔情報から最終物交換者顔認識データを取得する最終物交換者顔認識手段と、前記最終交換者顔認識データを前記遊技者データ記憶部に格納された遊技者顔認識データ、前記計数者データ記憶部に格納された計数者顔認識デ−タ、及び前記景品交換者データ記憶部に格納された前記景品交換者顔認識データのそれぞれと照合し、それぞれのデータの中の人物と同一人物であるか否かの判定を行う照合判定部と、該照合判定部の判定結果を前記最終交換所の管理者に対して伝達する判定結果伝達手段と、を備えたことを特徴とする。
【手続補正１４】
【補正対象書類名】明細書
【補正対象項目名】００３１
【補正方法】変更
【補正の内容】
【００３１】
すなわち、前記遊技者データ記憶部、計数者顔認識デ−タ及び景品交換者顔認識データの何れかに顔認識データが存在しないものがある最終物への交換希望者、あるいは何れのデータにも存在しない最終物への交換希望者に対して、それぞれより細かい内容の質問を行うことが可能である。
【手続補正１５】
【補正対象書類名】明細書
【補正対象項目名】００３３
【補正方法】変更
【補正の内容】
【００３３】
請求項５に係る遊技施設の利用者等判定システムは、請求項３又は４の何れかに記載の遊技施設の利用判定システムにおいて、
前記遊技媒体計数設備は、遊技媒体を計数する計数部と、計数結果情報を記録した計数記録媒体を発行する計数記録媒体発行部と、を有し、当該遊技媒体計数設備の内部又は外部に設けられる制御部によって、前記計数者顔認識手段が当該持参者の顔認識データを取得したことを条件として、前記計数部又は前記計数記録媒体発行部の作動が行われる様に制御することを特徴とする。
【手続補正１６】
【補正対象書類名】明細書
【補正対象項目名】００３５
【補正方法】変更
【補正の内容】
【００３５】
請求項６に係る遊技施設の利用者等判定システムは、請求項２又は４の何れかに記載の遊技施設の利用者等判定システムにおいて、
前記遊技者顔認識手段は、当該遊技台の遊技者が存在するか否かを検知する存在検知部を有し、前記遊技者が不存在状態から存在状態に変化する毎に新たに前記遊技者に対応する顔認識データを取得することを特徴とする。これにより、遊技台で遊技を行った遊技者の顔認識データを漏れなく取得することができる。
【手続補正１７】
【補正対象書類名】明細書
【補正対象項目名】００３６
【補正方法】変更
【補正の内容】
【００３６】
本発明に係る遊技施設の利用者等判定システムによれば、最終物交換所に景品を持参した者の顔認識データに基づいて、その者が施設内の他の設備での行為者の中に存在するか否かの照合判定を行い、その判定結果を得た上で最終物への交換サービスが行われる。これにより、不正な経緯を経て行われんとする最終物への交換について、その最終物交換者に対し顔認識データを取っていること、且つ顔の不一致状況が存することなどを認識させることができ、不正行為に対する大きな抑制機能を発揮することができる。
【手続補正１８】
【補正対象書類名】明細書
【補正対象項目名】００３８
【補正方法】変更
【補正の内容】
【００３８】
図示のように、ホール１０の外部に設置されている最終物交換所１００には、カウンター１０１の他、ホール１０内の景品交換設備２４にて交換した景品を持参して最終物への交換を希望する最終物交換希望者の顔情報を得るためのカメラ１０２が設置されている。カメラ１０２は少なくとも最終物への交換希望者の顔を含む所定の領域を可能な限り正面から写すことのできる位置に設置される。このカメラ１０２によって取得した顔を含む映像情報に基づいて、最終物交換希望者の顔認識データが取得される。このデータの取得のための構成は、本件発明の特徴的な構成要素ではなく、既に実用化されている種々の顔認識システムを用いることが可能である。この様なシステムは、例えば、取得した画像データから顔の特徴点を検出し、それを位置データなどに変換して顔認識データとし、それらの照合を行うものである。本実施例では、この顔認識データの取得のための処理は本実施例ではホールコンピュータ４０によって行われる。
【手続補正１９】
【補正対象書類名】明細書
【補正対象項目名】００４０
【補正方法】変更
【補正の内容】
【００４０】
次に、景品交換設備２４について説明する。ホール１０内に設置された景品交換設備２４には、計数記録媒体である計数シート２０等を持参した景品交換希望者の顔情報を得るためのカメラ２５が設置されている。同じくカメラ２５は少なくとも景品交換希望者の顔を含む所定の領域を可能な限り正面から写すことのできる位置に設置される。
【手続補正２０】
【補正対象書類名】明細書
【補正対象項目名】００４４
【補正方法】変更
【補正の内容】
【００４４】
次に、各島１４に複数並設された遊技台１２には、それぞれその遊技台を使用している遊技者の顔を含む映像情報を取得するための手段として、カメラ３０が設置されている。カメラ３０の設置位置は、可能な限り遊技者を正面から捉えることのできる位置が好適であり、遊技台１２の中や枠部分の上部、更には枠外上部（例えば、符号３１）に目立たないように設置される。但し、カメラ３０の設置は必ずしも各台毎に行う必要はなく、各島１４の上部の複数箇所に設置することも可能である。例えば、２台〜３台の遊技者を１つのカメラ３０で撮影するようにしても良い。
【手続補正２１】
【補正対象書類名】明細書
【補正対象項目名】００４８
【補正方法】変更
【補正の内容】
【００４８】
次に、上記構成を有する実施の形態に基づいて行われる第１の照合判定の動作について、図３のフローチャートに基づいて説明する。同図における照合判定は、最終物交換所１００における顔の照合判定を景品交換設備２４で景品に交換した者の顔認識データとの間で行うものである。まず、ステップ（以下、単に「Ｓ」と言う）１０１において、景品交換設備２４において景品交換希望者に対してカメラ２５による撮影が行われる。撮影対象は景品交換設備２４に計数結果記録媒体である計数シート２０を持参した者であり、できるだけ顔の正面からの撮影を行うのが好適であり、撮影された映像情報は、ホールコンピュータ４０にて計数者顔認識データに変換された後、記憶部４６に格納される（Ｓ１０２）。この格納は撮影時間や計数シート２０の発行ナンバーなどと共に行うのが好適である。